(57)【要約】  陰茎の尿道口を確実に覆うことのできる尿取パッドを提供する。尿取パッド（１）は、下着に固定され、陰茎から排泄される尿を吸収する尿取パッドである。尿取パッド（１）は、基底部（１０）、及び被覆部（２０）を備えている。基底部（１０）は、下着の内側に貼着される部分であり、シート状をしている。被覆部（２０）は、基底部（１０）の上端に連設されている。被覆部（２０）は、陰茎の亀頭部を覆う部分である。被覆部（２０）は、装着時、上に凸な形状を有する。
2017208411.tif 000002
【特許請求の範囲】
【請求項１】
下着に固定され、陰茎から排泄される尿を吸収する尿取パッドであって、  前記下着の内側に貼着されるシート状の基底部と、  前記基底部の上端に連設され、前記陰茎の亀頭部を覆う被覆部と、を備え、  前記被覆部は、装着時、上に凸な形状を有することを特徴とする尿取パッド。
【請求項２】
請求項１に記載の尿取パッドにおいて、  装着時、前記被覆部の下端は、前記基底部の下端よりも上に位置する尿取パッド。
【請求項３】
請求項１又は２に記載の尿取パッドにおいて、  前記被覆部の頂部は、当該被覆部における前記頂部以外の部分よりも高い吸水性を有する尿取パッド。
【請求項４】
請求項３に記載の尿取パッドにおいて、  前記被覆部の前記頂部の厚みは、当該被覆部における前記頂部以外の部分の厚みよりも大きい尿取パッド。
【請求項５】
請求項３又は４に記載の尿取パッドにおいて、  前記被覆部の前記頂部は、高吸水性樹脂を含有している尿取パッド。
【請求項６】
請求項５に記載の尿取パッドにおいて、  前記高吸水性樹脂は、前記被覆部における前記頂部以外の部分には含有されていない尿取パッド。
【請求項７】
請求項１乃至６の何れかに記載の尿取パッドにおいて、  前記基底部には、前記陰茎が当該基底部を貫通できるように裂開する部分である裂開予定部が設けられている尿取パッド。
【請求項８】
請求項７に記載の尿取パッドにおいて、  前記裂開予定部は、前記基底部の上下方向に延びている尿取パッド。
【請求項９】
請求項７又は８に記載の尿取パッドにおいて、  前記裂開予定部は、前記基底部及び前記被覆部のうち前記基底部にのみ設けられている尿取パッド。
【請求項１０】
請求項７乃至９の何れかに記載の尿取パッドにおいて、  前記基底部には、前記裂開予定部に沿って予め切目が形成されている尿取パッド。
【請求項１１】
請求項１乃至１０の何れかに記載の尿取パッドにおいて、  前記被覆部は、袋状をしている尿取パッド。
【請求項１２】
請求項１１に記載の尿取パッドにおいて、  前記被覆部は、伸縮性を有する尿取パッド。
【請求項１３】
請求項１１又は１２に記載の尿取パッドにおいて、  前記基底部は、伸縮性を有する尿取パッド。
【請求項１４】
請求項１乃至１０の何れかに記載の尿取パッドにおいて、  前記被覆部は、装着時、アーチ状をしている尿取パッド。
【請求項１５】
請求項１４に記載の尿取パッドにおいて、  前記被覆部の左右方向に垂直でかつ当該被覆部を左右に二等分する平面上における当該被覆部の長さは、可変である尿取パッド。
【請求項１６】
請求項１５に記載の尿取パッドにおいて、  前記被覆部には、当該被覆部の左右方向に延在するプリーツが形成されている尿取パッド。
【請求項１７】
請求項１４乃至１６の何れかに記載の尿取パッドにおいて、  前記基底部には、当該基底部の左右方向に延在するプリーツが形成されている尿取パッド。
【請求項１８】
請求項１乃至１７の何れかに記載の尿取パッドにおいて、  前記被覆部の内側に配置される吸水部材を備える尿取パッド。
【請求項１９】
請求項１８に記載の尿取パッドにおいて、  前記吸水部材は、上に凸な形状を有する尿取パッド。
【請求項２０】
請求項１乃至１９の何れかに記載の尿取パッドにおいて、  当該尿取パッドは、水洗トイレに流すことが可能である尿取パッド。
【発明の詳細な説明】
【技術分野】
【０００１】  本発明は、男性用の尿取パッドに関する。
【背景技術】
【０００２】  従来の尿取パッドとしては、例えば特許文献１に記載されたものがある。同文献に記載された尿取パッドは、陰茎から排泄される尿を吸収する男性用の尿取パッドであって、横長の長方形状をしている。この尿取パッドは、装着に際して、次のように組み立てられる。まず、左下の角部を右斜め上方向に折り返した後、当該折返し部分に重なるようにして右下の角部を左斜め上方向に折り返す。次に、折返し部分どうしを両面接着テープで固定する。それにより、円錐形状の陰茎収容部が得られる。
【先行技術文献】
【特許文献】
【０００３】
【特許文献１】特開２００４−５７５７８号公報
【発明の概要】
【発明が解決しようとする課題】
【０００４】  特許文献１に記載された尿取パッドにおいては、長方形のシートが上述のように組み立てられることにより、円錐形状の陰茎収容部が形成される。そのため、組み立て方によっては、陰茎収容部の先端部分に穴ができてしまう。この先端部分は、陰茎の尿道口に対向する部分である。それゆえ、当該部分に穴が存在すると、陰茎の尿道口を確実に覆うことができず、尿取パッドの外に尿が漏れる原因となりかねない。【０００５】  本発明は、上記課題に鑑みてなされたものであり、陰茎の尿道口を確実に覆うことのできる尿取パッドを提供することを目的とする。
【課題を解決するための手段】
【０００６】  本発明による尿取パッドは、下着に固定され、陰茎から排泄される尿を吸収する尿取パッドであって、上記下着の内側に貼着されるシート状の基底部と、上記基底部の上端に連設され、上記陰茎の亀頭部を覆う被覆部と、を備え、上記被覆部は、装着時、上に凸な形状を有することを特徴とする。【０００７】  この尿取パッドにおいては、下着の内側に貼着される基底部と、陰茎の亀頭部を覆う被覆部とが設けられている。基底部が下着に貼着されることにより、尿取パッドが当該下着に固定される。このように尿取パッドが下着に固定された状態で、陰茎の亀頭部が被覆部によって覆われる。このとき、被覆部は上に凸な形状を有するため、陰茎の尿道口を確実に覆うことができる。
【発明の効果】
【０００８】  本発明によれば、陰茎の尿道口を確実に覆うことのできる尿取パッドが実現される。
【図面の簡単な説明】
【０００９】
【図１】本発明による尿取パッドの第１実施形態を示す正面図である。
【図２】図１のII−II線に沿った端面図である。
【図３】図１の尿取パッドにおいて裂開予定部が裂開した状態を示す正面図である。
【図４】図２の円Ｃ１で囲まれた部分を示す拡大図である。
【図５】図１の尿取パッドの装着の仕方を説明するための図である。
【図６】本発明による尿取パッドの第２実施形態を示す正面図である。
【図７】図６のVII−VII線に沿った端面図である。
【図８】図６の尿取パッドの装着の仕方を説明するための図である。
【図９】本発明による尿取パッドの第３実施形態を示す背面図である。
【図１０】図９のX−X線に沿った端面図である。
【図１１】図９の尿取パッドの装着時の状態を示す側面図である。
【図１２】図９の尿取パッドの装着の仕方を説明するための図である。
【図１３】尿取パッドの変形例を説明するための図である。
【発明を実施するための形態】
【００１０】  以下、図面を参照しつつ、本発明の実施形態について詳細に説明する。なお、図面の説明においては、同一要素には同一符号を付し、重複する説明を省略する。（第１実施形態）
【００１１】  図１は、本発明による尿取パッドの第１実施形態を示す正面図である。また、図２は、図１のII−II線に沿った端面図である。尿取パッド１は、陰茎から排泄される尿を吸収する男性用の尿取パッドである。尿取パッド１の上下方向（図１の上下方向に等しい。）の長さは、例えば、内寸で３０ｍｍ以上１００ｍｍ以下である。また、尿取パッド１の左右方向（図１の左右方向に等しい。）の長さは、例えば、内寸で４０ｍｍ以上７０ｍｍ以下である。この尿取パッド１は、水洗トイレに流すことが可能であることが好ましい。
【００１２】  尿取パッド１は、基底部１０、及び被覆部２０を備えている。基底部１０は、下着の内側に貼着される部分である。基底部１０は、シート状をしており、その略全体が下着に接するように貼着される。詳細には、図２からわかるように、基底部１０の外面（装着時に陰茎に対向する内面とは反対側の面）に、粘着テープ等の粘着材１２が設けられている。この粘着材１２を介して、基底部１０の外面が下着の内側に貼着される。これにより、尿取パッド１が下着に固定される。
【００１３】  基底部１０には、裂開予定部１４が設けられている。裂開予定部１４は、陰茎が基底部１０を貫通できるように裂開する部分である。裂開予定部１４は、線状をしており、基底部１０の上下方向に延びている。裂開予定部１４は、基底部１０の下端１０ａまで達しないように設けられている。裂開予定部１４は、基底部１０及び被覆部２０のうち基底部１０にのみ設けられている。基底部１０には、裂開予定部１４に沿って予め切目が形成されている。
【００１４】  図３は、尿取パッド１において裂開予定部１４が裂開した状態を示す正面図である。裂開予定部１４の両側を引っ張ることにより、同図に示すように裂開予定部１４を裂開させることができる。
【００１５】  図１及び図２に戻って、被覆部２０は、基底部１０の上端に連設されている。被覆部２０は、陰茎の亀頭部を覆う部分である。被覆部２０は、亀頭部の全体を覆ってもよいし、亀頭部の一部分（尿道口を含む部分）のみを覆ってもよい。被覆部２０は、装着時、上に凸な形状を有する。具体的には、被覆部２０は、袋状をしている。被覆部２０には、切目が存在しない。被覆部２０は、立体成形されている。これにより、被覆部２０においては、非装着時も、装着時と同一の形状が維持される。かかる被覆部２０の成形は、例えば、モールド成形又はプレス成形により行うことができる。本実施形態において基底部１０と被覆部２０とは、一体に成形されている。
【００１６】  装着時、被覆部２０の下端２０ａは、基底部１０の下端１０ａよりも上に位置する。すなわち、正面視で、被覆部２０の下端２０ａは、基底部１０の下端１０ａと被覆部２０の頂部２０ｂとの間に位置する。下端１０ａからの頂部２０ｂの高さｈ０（図２参照）を１としたとき、下端１０ａからの下端２０ａの高さｈ１は、０．５以上０．８以下であることが好ましい。
【００１７】  図２からわかるように、被覆部２０の頂部２０ｂの厚みは、被覆部２０における頂部２０ｂ以外の部分（以下「周辺部分」という。）の厚みよりも大きい。被覆部２０の頂部２０ｂは、周辺部分よりも高い吸水性を有している。
【００１８】  図４は、図２の円Ｃ１で囲まれた部分を示す拡大図である。尿取パッド１は、内側シート３２、外側シート３４及び吸水層３６からなる三層構造を有している。内側シート３２は、尿取パッド１の内面を構成しており、透水性を有している。内側シート３２は、尿取パッド１の内面の全体にわたって設けられている。すなわち、内側シート３２は、基底部１０から被覆部２０まで連続して設けられている。内側シート３２の材料としては、例えば透水性の不織布を用いることができる。
【００１９】  外側シート３４は、尿取パッド１の外面を構成しており、不透水性（防水性）を有している。外側シート３４は、尿取パッド１の外面の全体にわたって設けられている。すなわち、外側シート３４は、基底部１０から被覆部２０まで連続して設けられている。外側シート３４の材料としては、例えば、不透水性の不織布又はプラスチックを用いることができる。
【００２０】  吸水層３６は、内側シート３２と外側シート３４との間に設けられており、吸水性を有している。吸水層３６は、内側シート３２と外側シート３４とで挟まれた領域の略全体に設けられている。ただし、被覆部２０の頂部２０ｂにおける吸水層３６の厚みは、周辺部分における吸水層３６の厚みよりも大きい。このため、尿取パッド１においては、上述のように、頂部２０ｂの厚みが、周辺部分の厚みよりも大きくなっている。
【００２１】  吸水層３６の材料としては、例えば、高吸水性樹脂、紙粉等を用いることができる。吸水層３６の材料として高吸水性樹脂を用いる場合、当該高吸水性樹脂は、基底部１０及び被覆部２０のうち被覆部２０にのみ含有されてもよいし、基底部１０及び被覆部２０の双方に含有されてもよい。また、高吸水性樹脂は、被覆部２０において頂部２０ｂにのみ含有されてもよいし、被覆部２０の全体に含有されてもよい。
【００２２】  図５を参照しつつ、尿取パッド１の装着の仕方を説明する。まず、粘着材１２を介して基底部１０を下着の内側９２に貼着することにより、尿取パッド１を下着に固定する。このとき、尿取パッド１の上下方向及び左右方向がそれぞれ身体の上下方向及び左右方向に一致するように、尿取パッド１の向きを合わせる。次に、被覆部２０の内側の空間に陰茎９４の亀頭部を収容する。これにより、陰茎９４に尿取パッド１が装着される。なお、下着に対する基底部１０の貼着は、被覆部２０の内側の空間に陰茎９４を収容した後に実行してもよい。
【００２３】  尿取パッド１の効果を説明する。尿取パッド１においては、下着の内側に貼着される基底部１０と、陰茎の亀頭部を覆う被覆部２０とが設けられている。基底部１０が下着に貼着されることにより、尿取パッド１が当該下着に固定される。このように尿取パッド１が下着に固定された状態で、陰茎の亀頭部が被覆部２０によって覆われる。このとき、被覆部２０は上に凸な形状を有するため、陰茎の尿道口を確実に覆うことができる。かかる尿取パッド１は、軽度の尿漏れ対策用として特に好適に用いることができる。
【００２４】  また、基底部１０は、シート状をしている。このことは、装着時における尿取パッド１の嵩張りを小さく抑えるのに有利である。
【００２５】  装着時、被覆部２０の下端２０ａは、基底部１０の下端１０ａよりも上に位置する。このため、尿取パッド１においては、側面視で、下着側（図５の右側）の長さの方が、身体側（図５の左側）の長さよりも大きくなる。このように尿取パッド１の下着側の長さを大きくすることにより、基底部１０と下着との貼着面を広くとることができる。このことは、下着に対して尿取パッド１を強固に固定するのに有利である。他方、尿取パッド１の身体側の長さを小さくすることにより、陰茎に対する被覆部２０の着脱が容易になる。
【００２６】  被覆部２０の頂部２０ｂは、周辺部分よりも高い吸水性を有している。この頂部２０ｂは、陰茎の尿道口から放出された尿を直接に受ける部分である。それゆえ、かかる頂部２０ｂの吸水性を高くすることにより、尿取パッド１の吸収力を効率良く高めることができる。他方、周辺部分の吸水性を低くすることは、尿取パッド１の製造コストを小さく抑えるのに有利である。
【００２７】  被覆部２０の頂部２０ｂの厚みは、周辺部分の厚みよりも大きい。これにより、周辺部分よりも高い吸水性を有する頂部２０ｂを容易に実現することができる。例えば被覆部２０全体に同一の材料を用いた場合であっても、頂部２０ｂの厚みを大きくすることにより、頂部２０ｂの吸水性を周辺部分よりも高くすることができる。他方、周辺部分の厚みを小さくすることは、装着時における尿取パッド１の嵩張りを小さく抑えるのに有利である。
【００２８】  頂部２０ｂが高吸水性樹脂を含有する場合、尿取パッド１の吸収力（特に吸水量）を高めることができる。さらに、頂部２０ｂだけでなく周辺部分も高吸水性樹脂を含有する場合、尿取パッド１の吸収力を一層高めることができる。このように高吸水性樹脂は、尿取パッド１の吸収力に寄与する反面、吸水すると膨潤する性質を有する。高吸水性樹脂の膨潤は、尿取パッド１の嵩張りにつながる。そこで、嵩張りを小さく抑えつつ尿取パッド１の吸収力を効率良く高める観点からは、頂部２０ｂに高吸水性樹脂を含有させる一方で、周辺部分には高吸水性樹脂を含有させないことが好ましい。
【００２９】  基底部１０には、裂開予定部１４が設けられている。裂開予定部１４を裂開させることにより、基底部１０に開口を形成することができる。当該開口を通じて、陰茎を尿取パッド１の外側に出すことができる。このため、尿取パッド１を装着した状態のままでも、便器に直接排尿することが可能となる。
【００３０】  基底部１０には、裂開予定部１４に沿って予め切目が形成されている。このため、裂開予定部１４の両側を軽く引っ張るだけで裂開予定部１４を裂開させることができる。これにより、陰茎を尿取パッド１の外側に容易に出すことができる。
【００３１】  裂開予定部１４は、基底部１０の上下方向に延びている。この場合、裂開予定部１４の両側を左右に引っ張ることにより裂開予定部１４を裂開させることができる。このため、裂開予定部１４の裂開動作を装着者自身で行いやすいという利点がある。
【００３２】  裂開予定部１４は、基底部１０及び被覆部２０のうち基底部１０にのみ設けられている。この場合、裂開予定部１４が裂開した状態においても、被覆部２０に不必要な開口が生じないようにすることができる。
【００３３】  被覆部２０は、袋状をしている。このため、亀頭部の周囲全体が、被覆部２０によって包囲される。これにより、被覆部２０が意図せず亀頭部から外れる事態を起こりにくくすることができる。
【００３４】  ところで、特許文献１に記載された尿取パッドにおいては、上述のような組立作業を経て円錐形状の陰茎収容部が形成されるため、必然的に、当該尿取パッドの一部分（折返し部分）どうしが広範囲にわたって重なり合うことになる。このような重なり部分の存在は、装着時における尿取パッドの嵩張りの原因となる。この点、尿取パッド１においては、被覆部２０が袋状をしているため、装着時に重なり部分が生じていない。これにより、装着時における尿取パッド１の嵩張りを小さく抑えることができる。
【００３５】  被覆部２０には、切目が存在しない。切目は、被覆部２０の外に尿が漏れる経路となりかねない。したがって、被覆部２０に切目が存在しないことにより、被覆部２０の外に尿が漏れるのを防ぐことができる。かかる趣旨から、ここでいう「切目」には、特許文献１の尿取パッドにおける折返し部分の端部のように、尿取パッドの一部分どうしが重なり合った部分の端部も含まれる。
【００３６】  被覆部２０においては、非装着時も、装着時と同一の形状が維持される。これにより、被覆部２０をそのまま亀頭部に被せるだけで尿取パッド１を陰茎に装着することができるため、尿取パッド１の装着が容易となる。
【００３７】  尿取パッド１が水洗トイレに流すことが可能なものである場合、使用済みの尿取パッド１を水洗トイレに流して処分することができるため、尿取パッド１の利便性が向上する。（第２実施形態）
【００３８】  図６は、本発明による尿取パッドの第２実施形態を示す正面図である。また、図７は、図６のVII−VII線に沿った端面図である。尿取パッド２は、陰茎から排泄される尿を吸収する男性用の尿取パッドである。
【００３９】  尿取パッド２は、基底部４０、及び被覆部５０を備えている。基底部４０は、下着の内側に貼着される部分である。基底部４０は、シート状をしており、その略全体が下着に接するように貼着される。本実施形態において基底部４０は、伸縮性を有している。基底部４０の外面には、粘着材４２が設けられている。この粘着材４２を介して、基底部４０の外面が下着の内側に貼着される。これにより、尿取パッド２が下着に固定される。また、基底部４０には、裂開予定部４４が設けられている。裂開予定部４４の構成は、第１実施形態で説明した裂開予定部１４と同様である。
【００４０】  被覆部５０は、基底部４０の上端に連設されている。被覆部５０は、陰茎の亀頭部を覆う部分である。被覆部５０は、装着時、上に凸な形状を有する。被覆部５０は、袋状をしている。被覆部５０は、伸縮性を有している。図７からわかるように、被覆部５０は、非装着時には潰れた状態（被覆部５０の内側面どうしが接触した状態）にある。
【００４１】  尿取パッド２は、尿取パッド１と同様の三層構造（図４参照）であってもよいし、一層構造であってもよい。前者の場合、内側シート及び外側シートとして、伸縮性を有するシートが用いられる。後者の場合、基底部４０及び被覆部５０の材料として、例えば、吸水性を有する伸縮ネットを用いることができる。尿取パッド２のその他の構成は、尿取パッド１と同様である。
【００４２】  図８を参照しつつ、尿取パッド２の装着の仕方を説明する。まず、粘着材４２を介して基底部４０を下着の内側９２に貼着することにより、尿取パッド２を下着に固定する。このとき、尿取パッド２の上下方向及び左右方向がそれぞれ身体の上下方向及び左右方向に一致するように、尿取パッド２の向きを合わせる。次に、被覆部５０を広げながら、その内側の空間に陰茎９４の亀頭部を収容する。これにより、陰茎９４に尿取パッド２が装着される。なお、下着に対する基底部４０の貼着は、被覆部５０の内側の空間に陰茎９４を収容した後に実行してもよい。
【００４３】  尿取パッド２の効果を説明する。尿取パッド２においては、下着の内側に貼着される基底部４０と、陰茎の亀頭部を覆う被覆部５０とが設けられている。基底部４０が下着に貼着されることにより、尿取パッド２が当該下着に固定される。このように尿取パッド２が下着に固定された状態で、陰茎の亀頭部が被覆部５０によって覆われる。このとき、被覆部５０は上に凸な形状を有するため、陰茎の尿道口を確実に覆うことができる。
【００４４】  被覆部５０は、伸縮性を有している。これにより、陰茎のサイズにかかわらず、被覆部５０を亀頭部に密着させやすくなる。また、尿取パッド２を装着した状態で陰茎が勃起した場合であっても、亀頭部の膨張に伴って被覆部５０が拡張するため、亀頭部が被覆部５０によって圧迫されにくい。このため、勃起時の陰茎の痛みを抑制することができる。
【００４５】  被覆部５０は、非装着時、潰れた状態にある。これにより、非装着時の尿取パッド２をコンパクトに収納することができる。
【００４６】  基底部４０も、伸縮性を有している。これにより、基底部４０が貼着された下着が伸縮性を有する場合に、当該下着の伸縮を妨げないようにすることができる。尿取パッド２のその他の効果は、尿取パッド１と同様である。（第３実施形態）
【００４７】  図９は、本発明による尿取パッドの第３実施形態を示す背面図である。また、図１０は、図９のX−X線に沿った端面図である。尿取パッド３は、陰茎から排泄される尿を吸収する男性用の尿取パッドである。図９は、尿取パッド３の外面を示している。
【００４８】  尿取パッド３は、基底部６０、及び被覆部７０を備えている。基底部６０は、下着の内側に貼着される部分である。基底部６０は、シート状をしており、その略全体が下着に接するように貼着される。基底部６０の外面には、粘着材６２が設けられている。粘着材６２は、基底部６０の左端及び右端のそれぞれに沿って配置されている。これらの粘着材６２を介して、基底部６０の外面が下着の内側に貼着される。これにより、尿取パッド３が下着に固定される。また、基底部６０には、裂開予定部６４が設けられている。裂開予定部６４の構成は、第１実施形態で説明した裂開予定部１４と同様である。
【００４９】  基底部６０には、プリーツ６６が形成されている。本実施形態においては、３つのプリーツ６６が形成されている。各プリーツ６６は、基底部６０の左右方向に延在している。これらのプリーツ６６は、裂開予定部６４を横切るように設けられている。
【００５０】  被覆部７０は、基底部６０の上端に連設されている。被覆部７０は、非装着時には、シート状をしている。被覆部７０は、陰茎の亀頭部を覆う部分である。被覆部７０には、線状の可塑性部材７８が取り付けられている。本実施形態においては、２つの可塑性部材７８が取り付けられている。各可塑性部材７８は、被覆部７０の上下方向に延在している。一方の可塑性部材７８は被覆部７０の左端に沿って設けられており、他方の可塑性部材７８は被覆部７０の右端に沿って設けられている。また、被覆部７０には、形状保持部材７９も取り付けられている。形状保持部材７９は、線状をしており、被覆部７０の左右方向に延在している。形状保持部材７９は、塑性変形することが可能な部材からなっていてもよいし、弾性変形することが可能な部材からなっていてもよい。
【００５１】  図１１は、装着時の尿取パッド３を示す側面図である。同図に示すように、被覆部７０は、装着時、上に凸な形状を有する。具体的には、装着時の被覆部７０は、アーチ状をしている。すなわち、被覆部７０は、装着時、側面視で逆Ｕ字型又は逆Ｊ字型になる。また、被覆部７０の左右方向に垂直でかつ被覆部７０を左右に二等分する平面（中央平面）上において、被覆部７０の長さ（被覆部７０に沿った曲線の長さ）は、可変である。つまり、上述のプリーツ７６が広げられることにより被覆部７０の長さが大きくなり、プリーツ７６が折り畳まれることにより被覆部７０の長さが小さくなる。なお、図１１においては、可塑性部材７８の図示を省略している。
【００５２】  尿取パッド３は、尿取パッド１と同様の三層構造（図４参照）であってもよいし、一層構造であってもよい。前者の場合、内側シート及び外側シートの双方にプリーツ６６，７６が形成される。後者の場合、基底部６０及び被覆部７０の材料として、例えば、吸水性を有する不織布を用いることができる。尿取パッド３のその他の構成は、尿取パッド１と同様である。
【００５３】  図１２を参照しつつ、尿取パッド３の装着の仕方を説明する。まず、粘着材６２を介して基底部６０を下着の内側９２に貼着することにより、尿取パッド３を下着に固定する。このとき、尿取パッド３の上下方向及び左右方向がそれぞれ身体の上下方向及び左右方向に一致するように、尿取パッド３の向きを合わせる。次に、アーチ状になるように被覆部７０を内面側に折り曲げながら、その内側の空間に陰茎９４の亀頭部を収容する。これにより、陰茎９４に尿取パッド３が装着される。なお、下着に対する基底部６０の貼着は、被覆部７０の内側の空間に陰茎９４を収容した後に実行してもよい。
【００５４】  尿取パッド３の効果を説明する。尿取パッド３においては、下着の内側に貼着される基底部６０と、陰茎の亀頭部を覆う被覆部７０とが設けられている。基底部６０が下着に貼着されることにより、尿取パッド３が当該下着に固定される。このように尿取パッド３が下着に固定された状態で、陰茎の亀頭部が被覆部７０によって覆われる。このとき、被覆部７０は上に凸な形状を有するため、陰茎の尿道口を確実に覆うことができる。
【００５５】  被覆部７０は、装着時、アーチ状をしている。このため、亀頭部の周囲の一部は、被覆部７０によって覆われることなく、被覆部７０の外部に露出する。これにより、亀頭部が蒸れるのを防止することができる。
【００５６】  中央平面上における被覆部７０の長さは、可変である。これにより、陰茎のサイズに応じて、被覆部７０の長さを適当に調整することができる。この点、被覆部７０には、被覆部７０の左右方向に延在するプリーツ７６が形成されている。これにより、簡易な構造で、長さが可変である被覆部７０を実現することができる。
【００５７】  基底部６０にも、基底部６０の左右方向に延在するプリーツ６６が形成されている。これにより、基底部６０が貼着された下着が伸縮性を有する場合に、当該下着の伸縮を妨げないようにすることができる。
【００５８】  被覆部７０には、可塑性部材７８が設けられている。これにより、被覆部７０のアーチ形状を維持しやすくなる。
【００５９】  被覆部７０には、形状保持部材７９が設けられている。形状保持部材７９の形状保持力により、被覆部７０の左端と右端との間の間隔が維持される。これにより、被覆部７０をアーチ状に折り曲げやすくなるとともに、被覆部７０のアーチ形状を維持しやすくなる。尿取パッド３のその他の効果は、尿取パッド１と同様である。
【００６０】  本発明は、上記実施形態に限定されるものではなく、様々な変形が可能である。上記各実施形態においては、図１３に示すように、被覆部の内側に配置される吸水部材８０が設けられていてもよい。同図は、例として、被覆部２０の内側に吸水部材８０が配置された場合を示している。吸水部材８０は、被覆部２０と亀頭部との間に介在する。吸水部材８０は、被覆部２０と同様、上に凸な形状を有することが好ましい。吸水部材８０としては、例えば、吸水性を有するシートを用いることができる。
【００６１】  上記構成によれば、被覆部だけでなく吸水部材８０によっても尿を吸収することができるため、尿取パッドの吸収力を増強することができる。また、吸水部材８０を適宜交換することにより、１つの尿取パッドを長時間にわたって使用することができる。
【００６２】  上記実施形態においては、裂開予定部１４に沿って予め切目が入っている場合を例示した。しかし、裂開予定部１４は、その両側を引っ張ったときに初めて、切目が入るように構成されていてもよい。かかる構成は、例えば、裂開予定部１４に沿ったミシン目を基底部１０に形成することにより実現することができる。なお、裂開予定部１４を設けることは必須でない。裂開予定部４４，６４についても同様である。
【符号の説明】
【００６３】１  尿取パッド２  尿取パッド３  尿取パッド１０  基底部１０ａ  基底部の下端１２  粘着材１４  裂開予定部２０  被覆部２０ａ  被覆部の下端２０ｂ  被覆部の頂部３２  内側シート３４  外側シート３６  吸水層４０  基底部４２  粘着材４４  裂開予定部５０  被覆部６０  基底部６２  粘着材６４  裂開予定部６６  プリーツ７０  被覆部７６  プリーツ７８  可塑性部材７９  形状保持部材８０  吸水部材９２  下着の内側９４  陰茎
【図１】
2017208411.tif 000003
【図２】
2017208411.tif 000004
【図３】
2017208411.tif 000005
【図４】
2017208411.tif 000006
【図５】
2017208411.tif 000007
【図６】
2017208411.tif 000008
【図７】
2017208411.tif 000009
【図８】
2017208411.tif 000010
【図９】
2017208411.tif 000011
【図１０】
2017208411.tif 000012
【図１１】
2017208411.tif 000013
【図１２】
2017208411.tif 000014
【図１３】
2017208411.tif 000015
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
下着に固定され、陰茎から排泄される尿を吸収する尿取パッドであって、
前記下着の内側に貼着されるシート状の基底部と、
前記基底部の上端に連設され、前記陰茎の亀頭部を覆う被覆部と、を備え、
前記被覆部は、装着時、上に凸な形状を有し、
前記基底部には、前記陰茎が当該基底部を貫通できるように裂開する部分である裂開予定部が設けられており、
前記裂開予定部は、前記基底部及び前記被覆部のうち前記基底部にのみ設けられていることを特徴とする尿取パッド。
【請求項２】
請求項１に記載の尿取パッドにおいて、
装着時、前記被覆部の下端は、前記基底部の下端よりも上に位置する尿取パッド。
【請求項３】
請求項１又は２に記載の尿取パッドにおいて、
前記被覆部の頂部は、当該被覆部における前記頂部以外の部分よりも高い吸水性を有する尿取パッド。
【請求項４】
請求項３に記載の尿取パッドにおいて、
前記被覆部の前記頂部の厚みは、当該被覆部における前記頂部以外の部分の厚みよりも大きい尿取パッド。
【請求項５】
請求項３又は４に記載の尿取パッドにおいて、
前記被覆部の前記頂部は、高吸水性樹脂を含有している尿取パッド。
【請求項６】
請求項５に記載の尿取パッドにおいて、
前記高吸水性樹脂は、前記被覆部における前記頂部以外の部分には含有されていない尿取パッド。
【請求項７】
請求項１乃至６の何れかに記載の尿取パッドにおいて、
前記裂開予定部は、前記基底部の上下方向に延びている尿取パッド。
【請求項８】
請求項１乃至７の何れかに記載の尿取パッドにおいて、
前記基底部には、前記裂開予定部に沿って予め切目が形成されている尿取パッド。
【請求項９】
請求項１乃至８の何れかに記載の尿取パッドにおいて、
前記被覆部は、袋状をしている尿取パッド。
【請求項１０】
請求項９に記載の尿取パッドにおいて、
前記被覆部は、伸縮性を有する尿取パッド。
【請求項１１】
請求項９又は１０に記載の尿取パッドにおいて、
前記基底部は、伸縮性を有する尿取パッド。
【請求項１２】
請求項１乃至８の何れかに記載の尿取パッドにおいて、
前記被覆部は、装着時、アーチ状をしている尿取パッド。
【請求項１３】
請求項１２に記載の尿取パッドにおいて、
前記被覆部の左右方向に垂直でかつ当該被覆部を左右に二等分する平面上における当該被覆部の長さは、可変である尿取パッド。
【請求項１４】
請求項１３に記載の尿取パッドにおいて、
前記被覆部には、当該被覆部の左右方向に延在するプリーツが形成されている尿取パッド。
【請求項１５】
請求項１２乃至１４の何れかに記載の尿取パッドにおいて、
前記基底部には、当該基底部の左右方向に延在するプリーツが形成されている尿取パッド。
【請求項１６】
請求項１乃至１５の何れかに記載の尿取パッドにおいて、
前記被覆部の内側に配置される吸水部材を備える尿取パッド。
【請求項１７】
請求項１６に記載の尿取パッドにおいて、
前記吸水部材は、上に凸な形状を有する尿取パッド。
【請求項１８】
請求項１乃至１７の何れかに記載の尿取パッドにおいて、
当該尿取パッドは、水洗トイレに流すことが可能である尿取パッド。
【国際調査報告】
2017208411.tif 000016
2017208411.tif 000017
2017208411.tif 000018
2017208411.tif 000019